(57)【要約】【課題】施工性、排水栓の操作性、止水性及びオーバーフロー水の排水能力を低下させることなく、且つ清掃性を向上させつつ、洗面ボウルの下部スペースを有効に使える洗面ボウルの排水装置を提供する。【解決手段】上下端が開口する円筒状の本体と、該本体の上端から拡開し洗面ボウル裏面に着設されるフランジと、本体側面に開設され上記洗面ボウル側面に設けられたオーバーフロー孔からの溢水を導出するオーバーフロー管に連通するオーバーフロー管接続部と、上記本体下端において建物側の設備配管に連通する介装材と接続する介装材接続部とを有する排水ヘッドを備える。【選択図】  図１
2007321478.tif 000002
【特許請求の範囲】
【請求項１】
上下端が開口する円筒状の本体と、
該本体の上端から拡開し洗面ボウル裏面に着設されるフランジと、
本体側面に開設され上記洗面ボウル側面に設けられたオーバーフロー孔からの溢水を導出するオーバーフロー管に連通するオーバーフロー管接続部と、
上記本体下端において建物側の設備配管に連通する介装材と接続する介装材接続部と、
を有する排水ヘッドを備えることを特徴とする洗面ボウルの排水装置。
【発明の詳細な説明】
【技術分野】
【０００１】
本発明は、オーバーフロー孔が設けられた洗面ボウルにおいて、オーバーフロー孔からの溢水を導出するオーバーフロー管を洗面ボウルの排水装置を介して建物側の設備配管へ接続する洗面ボウルの排水装置に関する。
【背景技術】
【０００２】
一般家庭等に設置される洗面化粧台に採用される洗面ボウルの多くは、洗面ボウルで使用された水を排水するために洗面ボウル最底部に設けられる排水口と、洗面ボウルに溜めた水がカウンタトップへ溢れ出ることを防止するために洗面ボウル側面の所定の高さに設けられるオーバーフロー孔とを有する。そして、オーバーフロー孔からの溢水は、オーバーフロー管により排水口に接続された排水ヘッドへと導出され、排水口からの排水と同様に、排水エルボ、排水トラップ等の介装材を介して、建物側の設備配管へと排水される排水装置とされている。本願では、排水口及びオーバーフロー孔からこの介装材までを排水装置という。
【０００３】
従来の排水装置の一例を、図３に示す。この例の洗面ボウルの排水装置は概略、排水装置２２の主要構成部材である排水ヘッド９Ａにオーバーフロー管接続アダプタ１２を介してオーバーフロー管１９を接続する。以下これを詳述する。
【０００４】
排水ヘッド９Ａは、両端が開口した円筒状の本体９Ａａの上端が拡開してフランジ９Ａｂを形成し、これが洗面ボウル３上側から、周縁に上側パッキン１０が載置された排水口４に落とし込まれ、フランジ９Ａｂが排水口４の周縁に掛止される。本体９Ａａ側面には、後述するオーバーフロー管接続アダプタ１２のオーバーフロー管接続部１２ｃからの排水を受け入れるオーバーフロー管接続口９Ａｃが設けられる。
【０００５】
オーバーフロー管接続アダプタ１２は、両端が解放した短い円筒状の本体１２ａの上端に上側フランジ１２ｂ、下側に下側フランジ１２ｄが形成され、本体１２ａ側面には、オーバーフロー管１９と接続するオーバーフロー管接続部１２ｃが突設される。
【０００６】
オーバーフロー管接続アダプタ１２は、排水口４に落とし込まれた排水ヘッド９Ａに、下方から外挿され、ロックナット１５により、洗面ボウル３下面との間に挟装される。このとき、上側フランジ１２ｂと洗面ボウル３下面との間には下側パッキン１１が、下側フランジ１２ｄとロックナット１５との間には三角パッキン１４がそれぞれ介装され、漏水を防止している。また、洗面ボウル３の排水口４周り上面とフランジ９Ａｂとの間には上側パッキン１０が介装され、止水性を向上させている。
【０００７】
オーバーフロー管１９の他端は、オーバーフロー管接続部材１８を介して洗面ボウル３に設けられたオーバーフロー孔５に接続され、これにより、オーバーフロー孔５から溢れ出た排水は、オーバーフロー管接続アダプタ１２を経由して、排水ヘッド９Ａへと導出される。
【０００８】
排水ヘッド９Ａ下端は、建物側の設備配管２０に接続された排水トラップ２３に連通する排水エルボ１７が、排水エルボ・ロックナット１６によりねじ止めされ、これにより洗面ボウル３の排水口４から設備配管２０まで連通され、排水装置２２内に流入した排水は、外部へと排出される。
【０００９】
最後に、排水ヘッド９Ａ内にヘアキャッチャ７，８を備える排水栓６を挿入して、この洗面ボウル３の排水装置が完成する。
【００１０】
この排水装置では、三つのパッキン、上側パッキン１０、下側パッキン１１及び三角パッキン１５）を用いているが、多数のパッキンが必要であるということは接続部分が多いということであり、それだけでも漏水の危険性が高くなる。さらに、オーバーフロー管接続アダプタ１２は、三角パッキン１４を介装してロックナット１５を締め込んで固定するのであるが、ロックナット１５の締め込み過ぎ等による漏水の危険性がより高くなる。
【００１１】
また、オーバーフロー管接続アダプタ１２は、図４に示すように、オーバーフロー管１９との接続を考慮して排水ヘッド９Ａ外側に回動自在に遊挿される。そのため、オーバーフロー管接続アダプタ１２のオーバーフロー管接続部１２ｃと排水ヘッド９Ａのオーバーフロー管接続口９Ａｃとが、組立て時に位置がずれて対向する位置にこない事態が生じることがあり、その場合、オーバーフローの排水能力が不足することがあった。さらに、オーバーフロー管接続部１２ｃとオーバーフロー管接続口９Ａｃとを隙間なく接続することは困難であるため、オーバーフロー管接続アダプタ１２と排水ヘッド９Ａとの隙間に排水が溜まり不潔であり、その隙間が狭いため清掃も困難である。
【００１２】
図５は、洗面ボウルの排水装置２２´の他の例を示すものである。この例では、排水トラップ２６にオーバーフロー管１９が直接接続されている。オーバーフロー管接続アダプタを必要としないので、上記の例のように、オーバーフロー管接続アダプタ１２のオーバーフロー管接続部１２ｃと排水ヘッド９Ａのオーバーフロー管接続口９Ａｃとが、組立て時に位置がずれて対向する位置にこない事態は生じない。また、オーバーフロー管接続アダプタ１２と排水ヘッド９Ａとの隙間に排水が溜まることもない。
【００１３】
もっとも、この例では、オーバーフロー管１９はヘアキャッチャ７，８より下流側で接続される。これは、以下の理由による。すなわち、図６に示すように、排水トラップ２６からオーバーフロー管接続口２６ａが突出しているため、排水トラップ２６上端に固定用フランジが設けられていると、排水ヘッド９Ｂと排水トラップ２６とを接続するロックナット１６Ａを排水トラップ２６に外挿できない。そこで、このフランジ部分を別体の接続ピース２７として形成せざるを得ず、そうすると、接続ピース２７の排水トラップ２６への接続部分が排水トラップ２６の内径より狭窄する。とすると、ヘアキャッチャ７，８をこの部分を通過して上下させるには、ヘアキャッチャ７，８の径をこの狭窄部分に合わせることとなるが、それではそれ以外の部分で排水トラップ２６の内径との間に隙間が生じてしまい、ヘアキャッチャとしての機能を果たせなくなり、排水栓の操作性が低下するからである。そのため、ヘアキャッチャ７，８に代わるものとして、オーバーフロー孔５に目皿２８が設けられている。
【００１４】
このように、排水トラップ２６にオーバーフロー管１９が直接接続されているので、排水トラップの回転方向の自由度が低くなり、設備配管２０と排水装置とを接続する際の施工性が非常に悪くなる。設備配管２０との接続に蛇腹管を使うことにより施工性は向上するが、蛇腹管は排水効率が悪いという問題がある。これでは「住宅の品質確保の促進等に関する法律」（品確法）施行後においては、「維持管理への配慮」部門において性能評価を得ることができないので、このタイプの排水装置が採用される機会は激減するものと思われる。
【００１５】
また、上述した第１の例の変形例として、排水ヘッド本体の上端に固定用フランジを設け、この固定用フランジの上面を洗面ボウルの排水口の裏面に着設した状態で固定用フランジを排水口に固定してなる排水装置の取り付け構造を備える洗面ボウルが提案されている（例えば、特許文献１参照。）。
【００１６】
この提案に係る排水装置の取付構造によれば、排水ヘッドの固定用フランジがボウルの内面に露出することがないので、固定用フランジの周囲すなわち固定用フランジとボウルの排水口との間に水垢等の汚れが溜まり、使用者に不快感を与えるという不都合がなく、ボウルの排水口付近のメンテナンスが容易となる。また、排水ヘッド本体をボウルの排水口に取り付ける際に、ボウルの裏面側からのみの作業で足りるため、取り付け作業が容易となる。
【００１７】
しかしながら、このような取付構造を用いても、オーバーフロー管接続アダプタを採用しているので、第１の例と同様、オーバーフロー管接続アダプタのオーバーフロー管接続部と排水ヘッドのオーバーフロー管接続口とが、組立て時に位置がずれて対向する位置にこない、オーバーフロー管接続アダプタと排水ヘッドとの隙間に排水が溜まるという問題は残る。
【特許文献１】特開平１０−６８１５８号公報
【発明の開示】
【発明が解決しようとする課題】
【００１８】
本発明は、上述した事情を考慮してなされたもので、施工性、排水栓の操作性、止水性及びオーバーフロー水の排水能力を低下させることなく、且つ清掃性を向上させた洗面ボウルの排水装置を提供することを目的とするものである。
【課題を解決するための手段】
【００１９】
本発明に係る洗面ボウルの排水装置は、上述した課題を解決するために、請求項１に記載したように、上下端が開口する円筒状の本体と、該本体の上端から拡開し洗面ボウル裏面に着設されるフランジと、本体側面に開設され上記洗面ボウル側面に設けられたオーバーフロー孔からの溢水を導出するオーバーフロー管に連通するオーバーフロー管接続部と、上記本体下端において建物側の設備配管に連通する介装材と接続する介装材接続部とを有する排水ヘッドを備えるものである。
【発明の効果】
【００２０】
本発明に係る洗面ボウルの排水装置によれば、施工性、排水栓の操作性、止水性及びオーバーフロー水の排水能力を低下させることなく、且つ清掃性を向上させることが可能となる。
【発明を実施するための最良の形態】
【００２１】
本発明に係る洗面ボウルの排水装置の実施の形態について、添付図面を参照して説明する。図１は、本実施形態に係る洗面ボウルの排水装置Ａの縦断面図、図２はその分解斜視図である。
【００２２】
本実施形態に係る洗面ボウルの排水装置Ａは、洗面化粧台１のカウンタトップ２に取設された洗面ボウル３に設けられる。この洗面ボウル３では、洗面ボウル３下の空間を有効利用できるように、排水口４は洗面化粧台１背面側へずらして設けられている。また、洗面ボウル３の背面側の頂部から幾分下がったところにオーバーフロー孔５が設けられる。
【００２３】
排水ヘッド９は、両端が開口した円筒状の本体９ａの上端が拡開してフランジ９ｂを形成し、このフランジ９ｂが洗面ボウル３下側から、下側パッキン１１を介装して排水口４周りの洗面ボウル３下面にねじ止めされる。本体９ａ側面には、オーバーフロー管１９の一端が接続されるオーバーフロー管接続部９ｃが設けられる。
【００２４】
オーバーフロー管１９の他端は、オーバーフロー管接続部材１８を介して洗面ボウル３に設けられたオーバーフロー孔５に接続され、これにより、オーバーフロー孔５から溢れ出た排水は、オーバーフロー管接続部９ｃから直接、排水ヘッド９へと導出される。
【００２５】
排水ヘッド９下端は、建物側の設備配管２０に接続される排水トラップ２３端部に連通する排水エルボ１７が、排水エルボ・ロックナット１６によりねじ止めされる介装材接続部９ｄを形成する。このように接続されることにより、洗面ボウル３の排水口４から設備配管２０まで連通され、排水ヘッド９内に流入した排水は、外部へと排出される。なお、本実施形態における排水トラップ２３及び排水エルボ１７は、本発明に係る介装材を構成する。
【００２６】
最後に、排水ヘッド９内にヘアキャッチャ７，８を備える排水栓６を挿入して、この洗面ボウル３の排水装置Ａが完成する。
【００２７】
本実施形態に係る洗面ボウル３の排水装置は、上述したように、排水ヘッド９に直結されるオーバーフロー管１９を主要要素として構成される。すなわち、従来の排水装置が備えるオーバーフロー管接続アダプタを備えておらず、この機能は排水ヘッド９により達成される。
【００２８】
このように、オーバーフロー管接続アダプタが不要となったことで、これに付随する三角パッキン、スリップワッシャ及びロックナットが不要となる。また、排水ヘッド９が洗面ボウル３下面に取り付けられることから上側パッキンも必要ない。したがって、部品数が減ることによりコストが低減される外、洗面ボウル３への排水装置の取付が簡単になって施工性も向上する。また、接続部分も減少することから止水性も向上する。それでいて、オーバーフロー管周りは従来のものと同様であるので、オーバーフロー水の排水性能が低下することもない。
【００２９】
また、オーバーフロー管接続アダプタを必要としないので、上記の例のように、オーバーフロー管接続アダプタ１２のオーバーフロー管接続部１２ｃと排水ヘッド９Ａのオーバーフロー管接続口９Ａｃとが、組立て時に位置がずれて対向する位置にこない事態は生じない。また、オーバーフロー管接続アダプタ１２と排水ヘッド９Ａとの隙間に排水が溜まることもない。
【００３０】
そして、排水ヘッド９内に不要な突起がないので、ヘアキャッチャ７，８を有する排水栓６の上下動もスムーズに行え、排水栓の操作性が損なわれることもない。
【００３１】
加えて、排水ヘッド９のフランジ９ｂが洗面ボウル３の内面に露出することがないので、フランジ９ｂの周囲すなわちフランジ９ｂと洗面ボウル３の排水口４との間に水垢等の汚れが溜まり、使用者に不快感を与えるという不都合がなく、洗面ボウル３の排水口４付近のメンテナンスが容易となる。また、排水装置本体を洗面ボウル３の排水口４に取り付ける際に、洗面ボウル３の裏面側からのみの作業で足りるため、取付作業が容易となる。
【００３２】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００３３】
【図１】本発明に係る洗面ボウルの排水装置の実施形態を示す縦断面図。
【図２】本実施形態に係る洗面ボウルの排水装置の分解斜視図。
【図３】従来の洗面ボウルの排水装置の一例を示す縦断面図。
【図４】図３に示した洗面ボウルの排水装置の部分分解斜視図。
【図５】従来の洗面ボウルの排水装置の他の例を示す斜視図。
【図６】図５に示した洗面ボウルの排水装置の部分拡大図。
【符号の説明】
【００３４】
１  洗面化粧台
２  カウンタトップ
３  洗面ボウル
４  排水口
５  オーバーフロー孔
６  排水栓
７，８  ヘアキャッチャ
９  排水ヘッド
９ａ  本体
９ｂ  フランジ
９ｃ  オーバーフロー管接続部
９ｄ  介装材接続部
９Ａ  排水ヘッド
９Ａａ  本体
９Ａｂ  フランジ
９Ａｃ  オーバーフロー管接続口
１０  上側パッキン
１１  下側パッキン
１２  オーバーフロー管接続アダプタ
１２ａ  本体
１２ｂ  上側フランジ
１２ｃ  オーバーフロー管接続部
１２ｄ  下側フランジ
１３  スリップワッシャ
１４  三角パッキン
１５  ロックナット
１６  排水エルボ・ロックナット
１７  排水エルボ
１８  オーバーフロー管接続部材
１９  オーバーフロー管
２０  設備配管
２２，２２´  排水装置
２３，２６  排水トラップ
２７  接続ピース
２８  目皿
Ａ  排水装置
【図１】
2007321478.tif 000003
【図２】
2007321478.tif 000004
【図３】
2007321478.tif 000005
【図４】
2007321478.tif 000006
【図５】
2007321478.tif 000007
【図６】
2007321478.tif 000008